(57)【要約】本発明は床及び建物層間で発生する騷音を防止し、騷音を遮断、吸収するだけでなく、静電気、電磁波及び水脈波を遮蔽し、温度変化による変形がない騷音防止部材及びそれを使用した層間騷音防止工法である。本発明の騷音防止部材１０は、上板部１２；上板部１２を支持する支持部１４；及び支持部１４の間に充填される充填手段１５；を含んでなり、支持部１４の下面には、ゴムからなる騷音防止手段１６が備えられ、支持部１４は複数の脚からなり、上板部１２の両側を支持する脚は残りの脚より長い。上板部１４には、温度変化による上板部の伸縮による変形を防止するための細長いスリット１８がさらに備えられる。本発明によれば、（１）床及び建物層間で発生する騷音、および湿気が上面に凝縮することを効果的に防止し、（２）温度変化による騷音防止部材の伸縮による変形を防止し、（３）建物層間で発生する静電気及び水脈波を遮蔽できる。
2008520855.tif 000002
【特許請求の範囲】
【請求項１】
上板部、及び前記上板部を支持する支持部、を含んでなる騒音防止部材。
【請求項２】
前記支持部の間に充填される充填手段をさらに含むことを特徴とする、請求項１に記載の騒音防止部材。
【請求項３】
前記支持部の下面に、ゴム材の騒音防止手段をさらに設けることを特徴とする、請求項１または請求項２に記載の騒音防止部材。
【請求項４】
前記支持部は複数の脚からなり、前記上板部の両側を支持する脚は残りの脚より長いことを特徴とする、請求項１または請求項２に記載の騒音防止部材。
【請求項５】
前記上板部は、温度変化による上板部の伸縮による変形を防止するための変形防止手段をさらに含むことを特徴とする、請求項１または請求項２に記載の騒音防止部材。
【請求項６】
前記変形防止手段は、細長いスリットであることを特徴とする、請求項５に記載の騒音防止部材。
【請求項７】
前記上板部上に、建物層間で発生する静電気及び水脈波を遮蔽するための伝導層をさらに含むことを特徴とする、請求項１または請求項２に記載の騒音防止部材。
【請求項８】
前記伝導層は、カーボンシートまたはメタルコーティングシートであることを特徴とする、請求項７に記載の騒音防止部材。
【請求項９】
前記充填手段は、発泡スチレン、廃タイヤゴム、ＥＶＡ、ＮＢＲ、ＰＥ、ＰＶＣフォーム、及びＰＵよりなる群から選択されることを特徴とする、請求項２に記載の騒音防止部材。
【請求項１０】
前記充填手段の上面及び／または底面に、ニッケル、銅、銀、カリウム、マグネシウム、カドミウム、及びアルミニウムよりなる群から選択される金属部材が備えられることを特徴とする、請求項２ないし請求項９のいずれか１項に記載の騒音防止部材。
【請求項１１】
前記上板部と充填手段との間に、騒音を吸収するための空洞部をさらに有することを特徴とする、請求項２に記載の騒音防止部材。
【請求項１２】
前記空洞部には、不織布製吸音材層とこの不織布製吸音材層の片面に縫いつけられたナイロンフィラメントからなる不織網製の防振材がさらに含まれることを特徴とする請求項１１に記載の騒音防止部材。
【請求項１３】
前記上板部及び支持部は、ＰＶＣ、木粉及び石粉を含むＰＶＣ混合物を発泡したものであり、そこでは合成樹脂が５５〜６０重量％、木粉が２５〜３０重量％、石粉が１０〜１５重量％使用されていることを特徴とする、請求項１ないし請求項９のいずれか１項に記載の騒音防止部材。
【請求項１４】
前記上板部及び支持部は、ＰＰ及び木粉を含むＰＶＣ混合物を発泡したものであり、前記ＰＰに木粉が５０〜７０重量％含有されることを特徴とする請求項１ないし請求項９のいずれか１項に記載の騒音防止部材。
【請求項１５】
前記上板部及び支持部は、合成樹脂と不燃材からなることを特徴とする請求項１ないし請求項９のいずれか１項に記載の騒音防止部材。
【請求項１６】
前記不燃材はいん石または蛭石であり、前記合成樹脂は６０〜７０重量％、いん石または蛭石は３０〜４０重量％であることを特徴とする請求項１５に記載の騒音防止部材。
【請求項１７】
前記上板部の上面に、不織布製吸音材層とこの不織布製吸音材層の片面に縫いつけられたナイロンフィラメントからなる不織網製の防振材を融着した床材が、付着されることを特徴とする請求項１ないし請求項９のいずれか１項に記載の騒音防止部材。
【請求項１８】
前記支持部の側面に、騒音防止部材と床面の接触面積を最小化するための側空洞部が形成されることを特徴とする請求項１ないし請求項９のいずれか１項に記載の騒音防止部材。
【請求項１９】
スラブを設置する段階、
前記スラブ上に、建物の層間で発生する騒音及び振動を防止するための防振パネルを積層する段階、及び
前記防振パネル上に、上部層を積層する段階を含み、
前記防振パネルは、請求項１ないし請求項１８のいずれか１項に記載の騒音防止部材を含むことを特徴とする層間騒音防止工法。
【発明の詳細な説明】
【技術分野】
【０００１】
本発明は床及び建物層間で発生する騒音を防止するための騒音防止部材であって、騒音を遮断、吸収し、静電気、電磁波及び水脈波を遮蔽することができ、かつ温度変化による変形がない騒音防止部材、及びこの騒音防止部材を使用した層間騒音防止工法に関する。
【背景技術】
【０００２】
従来、床及び建物層間で発生する騒音を遮蔽するために、建物層間に吸音性のあるスポンジまたはゴムマットを取り付けるのが一般的であった。
【０００３】
しかし、前記スポンジまたはゴムマットにおいて、上面に重いコンクリート等が積層される場合、その材料が変形して建物の表面がデコボコになり、クラックが生ずる問題点、スポンジまたはゴム層が厚くなる問題点があった。
【０００４】
また、従来の方法によって建物層間で発生する騒音及び振動を遮蔽するとしても、現代社会で問題になっている電磁波及び水脈波を効率的に遮蔽するのは困難であった。
【発明の開示】
【発明が解決しようとする課題】
【０００５】
したがって、本発明は前記の問題点を解決するためになされたもので、本発明の目的は、断熱の役目をし、床及び建物層間で発生する騒音及び振動を効率的に遮蔽する騒音防止部材及びこの騒音防止部材を使用した層間騒音防止工法を提供することにある。
【０００６】
本発明の他の目的は、温度変化による変形が生じない騒音防止部材及びこの騒音防止部材を使用した層間騒音防止工法を提供することにある。
【０００７】
本発明のさらに他の目的は、建物層間で発生する静電気、水脈波及び電磁波を遮蔽することができる騒音防止部材及びこの騒音防止部材を使用した層間騒音防止工法を提供することにある。
【課題を解決するための手段】
【０００８】
本発明は前記目的を達成するために、本発明は、上板部；及び前記上板部を支持する支持部；を含んでなる騒音防止部材を提供する。
【０００９】
本発明の騒音防止部材は、上板部；前記上板部を支持する支持部；前記支持部の間に充填される充填手段；及び前記支持部の下面に付着されるゴム材の騒音防止手段を含むことができる。
【００１０】
前記充填手段は、発泡スチレン、廃タイヤゴム、ＥＶＡ、ＮＢＲ、ＰＥ、ＰＶＣフォーム、及びＰＵよりなる群から選択されることを特徴とする。
【００１１】
前記支持部は複数の脚からなり、前記上板部の両側を支持する脚は残りの脚より長いことを特徴とする。
【００１２】
前記上板部は、温度変化による上板部の伸縮による変形を防止するための変形防止手段として細長いスリットをさらに含むことを特徴とする。
【００１３】
本発明の騒音防止部材は、前記上板部の上面に、建物層間で発生する静電気及び水脈波を遮蔽するための伝導層として、カーボンシートまたはメタルコーティングシートをさらに含むことを特徴とする。
【００１４】
本発明の騒音防止部材は、前記充填手段の上面及び／または底面に、ニッケル、銅、銀、カリウム、マグネシウム、カドミウム、及びアルミニウムよりなる群から選択される金属部材が備えられることを特徴とする。
【００１５】
本発明の騒音防止部材は、前記上板部と充填手段との間に、騒音を吸収するための空洞部をさらに有することを特徴とする。
【００１６】
前記空洞部には、不織布製吸音材層とこの不織布製吸音材層の片面に縫いつけられたナイロンフィラメントからなる不織網製の防振材がさらに含まれることを特徴とする。
【００１７】
前記上板部及び支持部は、木粉と石粉を添加したＰＶＣを発泡したもので、そこでは前記合成樹脂は５５〜６０重量％、木粉は２５〜３０重量％、石粉は１０〜１５重量％使用されることを特徴とする。
【００１８】
前記上板部及び支持部は、ＰＰ（ポリプロピレン）に木粉を添加して発泡したもので、前記ＰＰに木粉が５０〜７０重量％含有されることを特徴とする。
【００１９】
前記上板部及び支持部は、合成樹脂にいん石または蛭石等の不燃材をさらに含んで発泡してなり、前記合成樹脂は６０〜７０重量％、いん石または蛭石は３０〜４０重量％用いられていることを特徴とする。
【００２０】
本発明の騒音防止部材は、前記上板部の上面に、不織布製吸音材層とこの不織布製吸音材層の片面に縫いつけられたナイロンフィラメントからなる不織網製の防振材を融着した床材が付着されることを特徴とする。
【００２１】
本発明の騒音防止部材は、前記支持部の側面に、騒音防止部材と床の接触面積接触面積を最小化するための側空洞部が形成されることを特徴とする。
【００２２】
さらに本発明は、スラブを設置する段階、前記スラブ上に、建物の層間で発生する騒音及び振動を防止するための防振パネルを積層する段階、及び前記防振パネル上に、上部層を積層する段階を含み、前記防振パネルは、本発明の騒音防止部材を含むことを特徴とする層間騒音防止工法を提供する。
【発明の効果】
【００２３】
本発明によれば、一つ目、床及び建物層間で発生する熱が外部に伝達されないようにする断熱作用をし、床及び建物層間で発生する騒音を効果的に遮断するだけでなく、床面に凝縮する湿気を防ぐことができる。
二つ目、温度変化による騒音防止部材の伸縮による変形を防止することができる。
三つ目、建物層間で発生する静電気及び水脈波を遮蔽することができる。
四つ目、上板部及び支持部に木粉及び石粉を含ませることで、木粉の添加により二重床材の表面の収縮を防止することができ、石粉を添加することにより、ＶＯＣガス（揮発性有機化合物）が３０％程度減少する効果がある。
五つ目、建物の燃焼の際にも、上板部及び支持部を不燃材にして火炎を遮断し人命被害を最大限減らし、火災を速かに初期に鎮圧して、火災による人的及び経済的被害を最小化することができ、加熱の際、体積が１０倍以上に膨脹する雲母からなる建築材が軽くて取扱いが容易になるので、作業性及び施工性を大幅向上させることができる。
【発明を実施するための最良の形態】
【００２４】
以下、本発明の実施例を添付図面に基づいて説明する。
【００２５】
図１は、本発明の第１の態様による騒音防止部材を示し、この態様の騒音防止部材は、長方形の上板部１２；前記上板部１２に設けられた細長いスリット１８；前記上板部１２を支持する脚１４ａからなる支持部１４；前記支持部１４の下面に付着された騒音防止手段１６；及び前記脚１４ａの間に充填される充填手段１５；を含んでなる。
【００２６】
前記上板部１２はＰＶＣ材からなり、前記上板部１２と前記支持部１４は金型によって押出しまたは射出方式で製造されるので、上板部と支持部は一体に形成される。
【００２７】
前記支持部１４は上板部１２を支持する役目をし、三つの脚からなり、脚の下面にはゴム材の騒音防止手段１６が付着される。
【００２８】
前記騒音防止手段１６の底面には複数の細長い溝が形成されることにより、床層で滑らないようにする役目をする。
【００２９】
前記支持部１４を構成する三つの脚１４ａのうち、上板部１２の両側を支持する脚の長さは上板部の中央を支持する脚より長く構成することが望ましい。その理由は、上板部１２に衝撃が加えられない場合は、両側に形成された脚が上板部１２を支持し、前記上板部１２に衝撃が加えられ、両側に形成された脚が衝撃を支持することができない場合は、上板部１２が下方に撓み、よって上板部１２の中央に形成された脚が床に接触して、衝撃の一定部分を吸収することになる。
【００３０】
したがって、本発明において、上板部の両側部に形成された支持部が一次に衝撃を吸収し、上板部の両側部に形成された支持部が衝撃を吸収することができない衝撃は上板部の中央に形成された脚が二次に衝撃を吸収することになるので、上板部に加えられる衝撃を効率的に分散する効果がある。
【００３１】
前記上板部１２に形成された細長いスリット１８は、温度変化による上板部１２の変形を防止して、上板部１２の上面に積層されたタイルまたは仕上げ材に影響を及ぼさないようにする効果があり、騒音防止部材１０を一定の大きさに切断して使用する場合、切断作業を容易に行うことができる。
【００３２】
前記支持部１４の脚１４ａの間には充填手段１５が充填されることが望ましい。前記充填手段１５としては、発泡スチレン、廃タイヤゴムＥＶＡ、ＮＢＲ、ＰＥ、ＰＶＣフォーム、ＰＵのいずれかを使用することができ、前記材を混用することができる。
【００３３】
前記脚１４ａの間に充填手段１５を充填する方法としては、まず充填材に発泡剤を入れて発泡させる方法と、発泡スチレンを脚のサイズに応じて裁断し、ボンドで付着して使用することができる。
【００３４】
前記支持部１４の脚１４ａの間に充填された充填手段１５は、床または建物層間で発生する熱を外部に伝達しないようにする断熱作用をし、床及び層間で発生する騒音を防止することができるとともに、床または層間で発生する湿気を遮断する機能をする。
【００３５】
前記上板部の上面には、建物層間で発生する静電気、電磁波及び水脈波を遮蔽するために、伝導層２０をさらに付着するのが望ましい。
【００３６】
前記伝導層２０は、カーボン被覆、ニッケル、銅、銀、カリウム、マグネシウム、カドミウム、アルミニウムのいずれか１種、ニッケル、銅、銀、カリウム、マグネシウム、カドミウム、及びアルミニウムのいずれか１種のメタル粉末２０〜３０重量％、及びカーボン粉末７０〜８０重量％を混合した材料を使用することができる。
【実施例】
【００３７】
以降に示す実施例は、本発明の理解をより容易にするものであり、本発明の範囲を限定するものと解釈してはいけない。
【００３８】
実施例１
前記伝導層２０として、合成樹脂材にカーボンを含有させるかまたは合成樹脂とカーボンを混合させ、熱圧着して成形して得たカーボンコーティングフィルムを上板部の表面に被覆した。
【００３９】
そして、上板部１２の表面抵抗を測定して見た結果、表面抵抗が１０３〜１０１１Ω／ｃｍ２であることから、静電気防止に効果があることが分かった。
【００４０】
実施例２
前記伝導層２０として、ニッケル、銅、銀、カリウム、マグネシウム、カドミウム、及びアルミニウムのいずれか1種をシートに製作して上板部上に被覆した結果、その表面抵抗が１０３〜１０８Ω／ｃｍ２であることから、静電気防止に効果があるだけでなく、次のように電磁波の遮蔽に効果があることが確認された。
【００４１】
また、上板部１２によって遮蔽される電磁波の程度を測定した。前記測定法は、“ＡＳＴＭ  Ｄ４９３５−８９”の試験法を使用し、そのデシベル数値（Ａ）は８±０５ｄＢであることが確認できた。よって、前記デシベル数値（Ａ）を、電磁波遮蔽効果の計算式（遮蔽効果（％）＝（１−１０−４／１０）×１００％）に代入して計算すれば、８２．２１％〜８５．８７％の電磁波を遮蔽することが確認できた。
【００４２】
実施例３
前記伝導層２０を、ニッケル、銅、銀、カリウム、マグネシウム、カドミウム、及びアルミニウムのいずれか１種のメタル粉末２０〜３０重量％と、カーボン粉末７０〜８０重量％を混合してシートを作り、二重床材の上面に被覆した。このように被覆した結果、その表面抵抗が１０３〜１０９Ω／ｃｍ２であることから、静電気の防止に効果があることが確認できた。
【００４３】
また、電磁波を、実施例２と同様に、“ＡＳＴＭ  Ｄ４９３５−８９”の試験法で測定して見た結果、電磁波が６０〜６５％遮蔽されることが確認できた。
【００４４】
また、現代社会で問題視されている水脈波を遮蔽することを確認した。水脈波は地下１００〜２００ｍ以上の深さから地上に発生する有害波であって、この有害な波長がある所に有益な波長を発生させれば、有害な波長は自然に中和される。現在、水脈波に対する科学的な測定装備が世界のどこにもなく、測定自体が人間の感性に依存するＬ−ロッドまたは錐でしか測定することができないので、遠赤外線放射試験または赤外線熱画像測定法で水脈波遮断可否を測定する。ＢＬＡＣＫ ＢＯＤＹという、実際には存在しない理論的試料の放射率を１と仮定してＦＴ−ＩＲ ｓｐｅｃｔｒｏｍｅｔｅｒ法で測定して見た結果、本発明による電磁波及び水脈波遮蔽用二重床材の遠赤外線放射率は０．６８、すなわち６８％の高放射率を表し、２５０ワットの放射エネルギーが生成して水脈波を中和することができた。そして、本発明による電磁波及び水脈波遮蔽用二重床材は、赤外線熱画像測定試験で測定した結果、大部分が室内温度２６℃で３０℃の遠赤外線を放射するので、水脈波を中和することができることを確認した。
【００４５】
実施例４
本発明の一実施例による上板部及び支持部は、ＰＶＣに木粉と石粉をさらに添加して発泡したもので、一番望ましい割合は、合成樹脂６０重量％、木粉３０重量％、石粉１０重量％のもので、この割合で上板部及び支持部を製造した結果は次のようである。
【００４６】
すなわち、木粉を添加することにより、二重床材の表面が収縮することを防止することができ、石粉を添加することにより、ＶＯＣガス（揮発性有機化合物）が３０％程度減少することを確認した。
【００４７】
前記上板部及び支持部をＰＰ（ポリプロピレン）により形成する場合は、ＰＰに木粉をさらに添加して発泡したもので、前記ＰＰに木粉を５１重量％添加すれば、ＶＯＣガス（揮発性有機化合物）が３０％程度減少することを確認することができた。
【００４８】
一方、図２は、本発明の第２の態様による騒音防止部材を示す。第１の態様と同一の部分は省略し、相異なる部分のみを以下に特に説明する。
【００４９】
前記充填手段１５の底面には、図２に示すように、ニッケル、銅、銀、カリウム、マグネシウム、カドミウム、及びアルミニウムのいずれか１種の金属部材が接着されている。前記のように、充填手段１５の底面に金属部材４０をボンドで接合するときは、下部で発生する静電気及び電磁波を遮蔽することができるとともに、下部と熱交換できないようにする断熱作用と、湿気が充填手段に浸透することを防止する作用がある。
【００５０】
本発明の実施例においては、充填手段１５の底面にだけ金属部材を接着するものを示したが、金属部材は充填手段の上面、または充填手段の上下面に接着することも可能である。
【００５１】
また、上板部１２と充填手段１５との間には、空洞部５０を形成することが望ましい。その理由は、騒音防止部材１０の上部及び下部で発生する騒音及び振動を前記空洞部５０で一部吸収する機能をするからである。また、前記空洞部５０には、本発明の図面には示されていないが、不織布製吸音材層とこの不織布製吸音材層の片面に縫いつけられたナイロンフィラメントからなる不織網製の防振材が挿入されることが望ましい。前記防振材は、騒音防止部材の上面で発生して空洞部に伝達される騒音を吸収する機能をする。
【００５２】
また、前記上板部の上面に、不織布製吸音材層とこの不織布製吸音材層の片面に縫いつけられたナイロンフィラメントからなる不織網製の防振材を融着した床材（図示せず）を付着することが望ましい。前記上板部の上面に、防振材層を融着した床材を付着することにより、騒音防止部材のクッション感を与えるとともに騒音を吸収する機能がある。また、支持部１４の側面には、騒音防止部材１０が床面に接触するとき、接触面積を最小化するために、騒音防止部材の側面に側空洞部１９を形成することが望ましい。
【００５３】
本発明による騒音防止部材を使用した層間騒音防止工法は、図３に示すように、スラブ３０を設置する段階；前記スラブ３０の上面に、建物層間で発生する騒音及び振動を防止するための騒音防止部材１０を積層する段階；及び前記騒音防止部材１０の上面に上部層４０を積層する段階；を含んでなる。
【００５４】
前記上部層４０積層段階は、前記上板部の細長いスリット及び多数の騒音防止部材を積層する場合、その間の隙間を詰めるために、騒音防止部材の上面に薄ビニル層４２を積層する段階、前記ビニル層４２の上面に軽量コンクリート層４４を６０ｍｍ積層する段階、その上面に外装層を２０〜２５ｍｍ積層する段階を含んでなることが望ましい。
【００５５】
以上、本発明の好ましい態様を、説明のために開示したが、本発明は特許請求の範囲に記載された趣旨及び範囲内で、当業者によって、多様な変形、付加及び置換が可能であるものと解釈されなければならない。
【図面の簡単な説明】
【００５６】
【図１】本発明の第１の態様による騒音防止部材を示す斜視図である。
【図２】本発明の第２の態様による騒音防止部材を示す斜視図である。
【図３】本発明の騒音防止部材を利用した層間騒音防止工法を示す断面図である。
【符号の説明】
【００５７】
１０：騒音防止部材    １２：上板部
１４：支持部          １４ａ：脚
１５：充填手段        １６：騒音防止手段
１８：スリット        ２０：伝導層
３０：スラブ          ４０：金属部材
５０：空洞部
【図１】
2008520855.tif 000003
【図２】
2008520855.tif 000004
【図３】
2008520855.tif 000005
【国際調査報告】
2008520855.tif 000006
2008520855.tif 000007